(57)【要約】【課題】建設現場などにおいて使用される仮設用サポートの安全性を高め、しかも従来のものと変わりなく使用出来るようにすること。【解決手段】ピン７には抜け止め用クリップ１４が取り付けられ、この抜け止め用クリップ１４は、腰管１の上端雄ネジ部３を把持する左右対称円弧形の一対の弾性アーム部１５ａ，１５ｂと、これら両弾性アーム部どうしを連結する連結部１６とから成る平面形状がほぼＣ字形のもので、前記連結部１６下側には、ピンの基部７ａが嵌合する凹溝部１９が形成され、この凹溝部１９に嵌合させた記ピンの基部７ａが結束バンド２３により連結部１６に固定され、ピン７をピン孔５と長孔６とにわたって差し込んだとき、前記弾性アーム部が腰管１の上端雄ネジ部３を把持すると共に、ピン７の両端部が調節用雌ネジ体４の上面４ａに直接当接して支持される構成。【選択図】図２
2015094085.tif 000002
【特許請求の範囲】
【請求項１】
下側の腰管、当該腰管に対して抜き差し自在な上側の差込み管、腰管の上端雄ネジ部に螺嵌する調節用雌ネジ体、差込み管に直径方向に貫通するように設けられたピン孔、前記腰管の上端雄ネジ部の両側に長さ方向に沿って設けられた長孔、及び前記ピン孔と長孔とにわたって差し込まれるピンから成る仮設用サポートにおいて、前記ピンには抜け止め用クリップが取り付けられ、この抜け止め用クリップは、腰管の上端雄ネジ部を把持する左右対称円弧形の一対の弾性アーム部と、これら両弾性アーム部どうしを連結する連結部とから成る平面形状がほぼＣ字形のもので、前記連結部下側には、前記ピンの基部が嵌合する凹溝部が形成され、この凹溝部に嵌合させた前記ピンの基部が固定手段により前記連結部に固定され、前記ピンを前記ピン孔と長孔とにわたって差し込んだとき、前記一対の弾性アーム部が前記腰管の上端雄ネジ部を把持すると共に、ピンの両端部が前記調節用雌ネジ体の上面に直接当接して支持されるように構成された、ピン抜け止め用クリップ付き仮設用サポート。
【請求項２】
抜け止め用クリップの前記凹溝部は、その長さ方向の一端が前記ピンの基部後端に当接する壁部で閉じられている、請求項１に記載のピン抜け止め用クリップ付き仮設用サポート。
【請求項３】
前記ピンは、その基部に設けられた直径方向の貫通孔にチエーンなどを連結するための連結用リングが挿通され、抜け止め用クリップの前記凹溝部には、前記連結用リングのピン両側部分が嵌合する切欠き部が形成されている、請求項１又は２に記載のピン抜け止め用クリップ付き仮設用サポート。
【請求項４】
前記固定手段として結束バンドが使用され、この結束バンドは、ピンの基部に設けられた連結用リング挿通用の前記貫通孔に挿通されると共に、抜け止め用クリップの前記連結部に設けられた左右一対の上下方向貫通孔から前記連結部の上側に引き出された状態で互いに結合されている、請求項３に記載のピン抜け止め用クリップ付き仮設用サポート。
【請求項５】
抜け止め用クリップの前記連結部の上側には、ピンに対してこの抜け止め用クリップを上下逆向きに使用したときに、前記調節用雌ネジ体の上面に当接する突起が突設されている、請求項１〜４の何れか１項に記載のピン抜け止め用クリップ付き仮設用サポート。
【発明の詳細な説明】
【技術分野】
【０００１】
本発明は、コンクリート型枠を支持する支持用柱などとして利用される仮設用サポートに関するものである。
【背景技術】
【０００２】
この種の仮設用サポートとして、下側の腰管、当該腰管に対して抜き差し自在な上側の差込み管、腰管の上端雄ネジ部に螺嵌する調節用雌ネジ体、差込み管に直径方向に貫通するように設けられたピン孔、前記腰管の上端雄ネジ部の両側に長さ方向に沿って設けられた長孔、及び前記ピン孔と長孔とにわたって差し込まれて両端部が前記調節用雌ネジ体で支持されるピンから成り、前記ピンは、その基部に設けられた直径方向の貫通孔にチエーンなどを連結するためのリングが挿通されている仮設用サポートが知られている。前記ピンは、紛失防止のために、チエーンなどにより仮設用サポートの適当箇所、例えば上側の差込み管に遊嵌されて下側の腰管の上端（上端雄ネジ部の上端）に支持される大径リングに接続されているが、当該ピンが前記ピン孔と長孔から不測に抜け落ちるのを防止する手段は採られていなかった。
【発明の概要】
【発明が解決しようとする課題】
【０００３】
上記のように従来の仮設用サポートでは、上側の差込み管を所定高さで支持するピンが不測に抜け落ちるのを防止する手段は採られていなかったので、腰管の上端雄ネジ部に螺嵌する調節用雌ネジ体を回転させて、腰管側の長孔と差込み管側のピン孔とを貫通するピンの支持高さ、即ち、腰管に対する差込み管の支持高さを調節した仮設用サポートを据え付け位置まで運ぶときなどに、ピンが不測に抜け落ちることがあった。
【課題を解決するための手段】
【０００４】
本発明は、上記のような従来の問題点を解消することのできる仮設用サポートを提案するものであって、本発明に係る仮設用サポートは、後述する実施例との関係を理解し易くするために、当該実施例の説明において使用した参照符号を括弧付きで付して示すと、下側の腰管(1)、当該腰管(1)に対して抜き差し自在な上側の差込み管(2)、腰管(1)の上端雄ネジ部(3)に螺嵌する調節用雌ネジ体(4)、差込み管(2)に直径方向に貫通するように設けられたピン孔(5)、前記腰管(1)の上端雄ネジ部(3)の両側に長さ方向に沿って設けられた長孔(6)、及び前記ピン孔(5)と長孔(6)とにわたって差し込まれるピン(7)から成る仮設用サポートにおいて、前記ピン(7)には抜け止め用クリップ(14)が取り付けられ、この抜け止め用クリップ(14)は、腰管(1)の上端雄ネジ部(3)を把持する左右対称円弧形の一対の弾性アーム部(15a,15b)と、これら両弾性アーム部(15a,15b)どうしを連結する連結部(16)とから成る平面形状がほぼＣ字形のもので、前記連結部(16)下側には、前記ピン(7)の基部(7a)が嵌合する凹溝部(19)が形成され、この凹溝部(19)に嵌合させた前記ピン(7)の基部(7a)が固定手段（結束バンド23）により前記連結部(16)に固定され、前記ピン(7)を前記ピン孔(5)と長孔(6)とにわたって差し込んだとき、前記一対の弾性アーム部(15a,15b)が前記腰管(1)の上端雄ネジ部(3)を把持すると共に、ピン(7)の両端部が前記調節用雌ネジ体(4)の上面(4a)に直接当接して支持される構成になっている。
【発明の効果】
【０００５】
上記構成の仮設用サポートでは、腰管側の前記長孔と差込み管側のピン孔（差込み管長さ方向適当間隔おきに複数設けられているときは、選択した１つのピン孔）とにわたってピンを直径方向に差し込み、腰管の上端雄ネジ部に螺嵌する調節用雌ネジ体を正逆回転させて昇降させることにより当該調節用雌ネジ体で支持される前記ピンの高さを調整して、この仮設サポートの全長を、コンクリート型枠などの支持対象物の支持高さに合わせた状態で使用するのであるが、ピンを腰管側の前記長孔から差込み管側のピン孔へ差し込むとき、当該ピンに取り付けられている前記抜け止め用クリップの一対の弾性アーム部の先端部間を腰管の上端雄ネジ部によって弾性に抗して押し広げるようにしてピンの差し込みを行うことにより、ピンの両端部が調節用雌ネジ体で支持される所定位置までピンが差し込まれたとき、前記抜け止め用クリップの一対の弾性アーム部が弾性により腰管の上端雄ネジ部を把持することになる。
【０００６】
上記のようにピンを抜け止め用クリップと共にセットして仮設用サポートを所定長さで使用出来るようにした状態においては、ピンを抜き取る方向に強く引っ張って、抜け止め用クリップの一対の弾性アーム部を腰管の上端雄ネジ部によって内側から弾性に抗して押し開くようにして、腰管の上端雄ネジ部から抜け止め用クリップを引き抜かなければ、ピンを抜き取ることが出来ない。従って、コンクリート型枠などを支持しているときのように大荷重が差込み管からピンに作用していない状況、例えばピンが重力で抜け落ちるような向きで仮設用サポートが運ばれるような状況にあっても、ピンが前記ピン孔や長孔から重力で抜けて外れてしまう恐れが全く無くなる。依って、ピンを再度セットするような余計な手間が無くなると共に、安全性も高めることが出来る。勿論、ピンを抜いて仮設用サポートを解体するようなときには、単にピンを抜け止め用クリップと共に強く引き抜くだけで良く、特別な操作が不要であって、解体作業を従来と変わりなく能率良く行える。
【０００７】
上記本発明を実施する場合、抜け止め用クリップ(14)の前記凹溝部(19)は、その長さ方向の一端が前記ピン(7)の基部(7a)後端に当接する壁部(16d)で閉じられた構造とすることが出来る。この構成によれば、ピンに抜け止め用クリップを取り付ける際の両者の相対位置関係を簡単に決めることが出来、固定手段で両者を互いに固定する作業も容易且つ正確に行える。
【０００８】
又、前記ピン(7)が、その基部(7a)に設けられた直径方向の貫通孔(22)にチエーン(13)などを連結するための連結用リング(12)が挿通されたものであるときは、抜け止め用クリップ(14)の前記凹溝部(19)には、前記連結用リング(12)のピン両側部分が嵌合する切欠き部(20)を形成しておくことが出来る。この構成によれば、前記連結用リングの存在に関係なく、前記凹溝部を深くしてピンの基部の嵌合深さを深くし、ピンと抜け止め用クリップとを強固に結合一体化することが容易になる。
【０００９】
前記固定手段としては、前記連結部(19)を上から下向きに貫通してピン(7)の基部(7a)に設けられたネジ孔に螺合締結されるビスや、針金その他の各種結束バンドが使用出来るが、結束バンド(23)を使用するときは、ピン(7)の基部(7a)に設けられた連結用リング挿通用の前記貫通孔(22)に当該結束バンド(23)を挿通すると共に、抜け止め用クリップ(14)の前記連結部(16)に設けられた左右一対の上下方向貫通孔(21)から前記連結部(16)の上側に当該結束バンド(23)の両端部を引き出した状態で互いに結合することが出来る。この構成によれば、ピンの基部にネジ孔を加工したり、ピン周面に結束バンドが嵌合する凹溝を設けたり、或いは結束バンド挿通専用の貫通孔を別に設けるような必要が無くなり、しかも結束バンドによりピンと抜け止め用クリップとのピン長さ方向の相対移動を確実に防止して、両者を定位置で強固に結合一体化することが出来る。
【００１０】
又、抜け止め用クリップ(14)の前記連結部(16)の上側には、ピン(7)に対してこの抜け止め用クリップ(14)を上下逆向きに使用したときに、前記調節用雌ネジ体(4)の上面(4a)に当接する突起(24)を突設しておくことが出来る。この構成によれば、誤って抜け止め用クリップの上下を逆にしてピンを仮設用サポートにセットすることが無くなるので、抜け止め用クリップの上下を逆にしてピンをセットした場合の不都合、即ち、ピンの両端が調節用雌ネジ体の上面で支持されないで、ピンの基部側では抜け止め用クリップの連結部が調節用雌ネジ体の上面で支持される結果、ピンが傾斜して差込み管を所定高さで支持することが出来なくなったり、この仮設用サポートが支持するコンクリート型枠などからの大荷重を受けて抜け止め用クリップの連結部が破損するなどの不都合が生じるのを回避出来る。
【図面の簡単な説明】
【００１１】
【図１】図１は、抜け止め用クリップ付きピンを使用して全高を調節した状態の仮設用サポートの一部切欠き正面図である。
【図２】図２は、同上仮設用サポートの拡大横断平面図である。
【図３】図３は、抜け止め用クリップ付きピンの側面図である。
【図４】図４Ａは、抜け止め用クリップの平面図、図４Ｂは、抜け止め用クリップの正面図、図４Ｃは、抜け止め用クリップの底面図である。
【図５】図５Ａは、抜け止め用クリップの側面図、図５Ｂは、抜け止め用クリップの背面図である。
【図６】図６Ａは、図５ＡのＸ-Ｘ線断面図と取付け前のピンの要部縦断面図、図６Ｂは、抜け止め用クリップにピンを取り付けた状態の要部の縦断背面図である。
【図７】図７Ａは、図５ＢのＹ-Ｙ線断面図と取付け前のピンの一部縦断側面図、図７Ｂは、抜け止め用クリップにピンを取り付けた状態の要部の縦断側面図である。
【発明を実施するための形態】
【００１２】
図１に示すように、仮設用サポートは、下側の腰管１、当該腰管１に対して抜き差し自在な上側の差込み管２、腰管１の上端雄ネジ部３に螺嵌する調節用雌ネジ体４、差込み管２に長さ方向適当間隔おきに設けられて直径方向に貫通するピン孔５、腰管１の上端雄ネジ部３の両側に長さ方向に沿って設けられた長孔６、及びピン孔５と長孔６とにわたって差し込まれて両端部が前記調節用雌ネジ体４で支持されるピン７から構成されている。尚、腰管１の下端には接地板８が固着され、差込み管２の上端には受け板９が固着されている。又、調節用雌ネジ体４には、その周側面の一箇所に操作用ハンドル１０が水平支軸１１の周りに上下揺動自在に軸支されている。
【００１３】
ピン７は、全長が調節用雌ネジ体４のピン支持用上端環状面４ａの外径より少し長い程度のもので、その一端の基部７ａには、連結用リング１２を介してチエーン１３が連結されている。このチエーン１３は、ピン７を紛失防止のためにこの仮設用サポートに繋いでおくものであるが、このチエーン１３を仮設用サポートに繋ぐための手段としては、図示省略しているが、このチエーン１３の遊端に連結された、差込み管２に外嵌して腰管１の上端に支持される直径の繋ぎ止め用リングを使用することが出来る。
【００１４】
ピン７には抜け止め用クリップ１４が取り付けられている。この抜け止め用クリップ１４は、図２〜図７に示すように、腰管１の上端雄ネジ部３を把持する左右対称円弧形の一対の弾性アーム部１５ａ，１５ｂと、これら両弾性アーム部１５ａ，１５ｂどうしを連結する連結部１６を合成樹脂にて一体成型して成る平面形状がほぼＣ字形のものである。両弾性アーム部１５ａ，１５ｂは、連結部１６を経由して周方向に連続する内周面を形成する上下巾広の内周壁部１７と、この内周壁部１７の中間高さ位置から外側へ張り出す水平鍔部１８とで断面倒伏Ｔ字形に形成されたもので、水平鍔部１８は連結部１６の外端位置まで連続するように形成されている。又、一対の弾性アーム部１５ａ，１５ｂの先端部間の間隔は、腰管１の上端雄ネジ部３の外径よりも狭くなっているが、この一対の弾性アーム部１５ａ，１５ｂの先端部は、それぞれ外側に湾曲している。
【００１５】
前記連結部１６には、前記ピンの基部が嵌合する凹溝部１９が形成されている。この凹溝部１９は、ピン７の周面上半分に当接する半円形天井部１６ａと左右両垂直壁部１６ｂ，１６ｃ、及び外端を閉じる外端壁部１６ｄによって、両弾性アーム部１５ａ，１５ｂの対称軸線１５ｃと平行に形成されたもので、両弾性アーム部１５ａ，１５ｂ間の円形空間側の内端と下側とが解放されている。この凹溝部１９の左右両垂直壁部１６ｂ，１６ｃには、その下側辺から上向きに切欠された切欠き部２０がそれぞれ設けられると共に、各切欠き部２０内から連結部１６の上側に開口する上下方向の貫通孔２１がそれぞれ設けられている。
【００１６】
ピン７の基部７ａには、連結用リング１２を挿通させるための貫通孔２２が設けられているが、この貫通孔２２は、連結用リング１２の円弧部分が挿通されるため、当該連結用リング１２を構成しているリング部材の直径より貫通孔内径が十分に大きい。従って、ピン７の延長姿勢にある連結用リング１２の上側で当該貫通孔２２に結束バンド２３を前以て挿通しておくことが出来る。このように結束バンド２３が貫通孔２２に挿通されたピン７の基部７ａを、抜け止め用クリップ１４における連結部１６の凹溝部１９内に下から嵌合させるのであるが、このとき、上向きに折曲させた結束バンド２３の両端を、凹溝部１９の両側に位置する切欠き部２０内を経由して各貫通孔２１に上向きに挿通させる。
【００１７】
上記操作により、ピン７の基部７ａを抜け止め用クリップ１４における連結部１６の凹溝部１９内に嵌合させると共に、結束バンド２３の両端を凹溝部１９の両側の各貫通孔２１に上向きに挿通させたとき、ピン７の基部７ａから両側に突出している連結用リング１２が凹溝部１９の両側に位置する切欠き部２０内に遊嵌することになり、この連結用リング１２の存在に影響されずにピン７の基部７ａを凹溝部１９内に嵌合させることが出来る。又、各貫通孔２１に結束バンド２３が挿通されることにより、ピン７の軸心方向の位置が、当該ピン７の基部７ａの後端が凹溝部１９の外端壁部１６ｄに当接する位置に位置決めされる。係る状態で連結部１９の上側に突出している結束バンド２３を従来周知の方法で締結することにより、ピン７の基部７ａを抜け止め用クリップ１４における連結部１６の凹溝部１９内に固定することが出来る。
【００１８】
尚、図示の結束バンド２３は、一端係止部２３ａの係止孔に他端側の逆止突起を備えた鋸歯状領域を差し込んで引き抜くようにして結束対象物を結束し、必要に応じて、一端係止部２３ａから突出する鋸歯状領域の余分な長さ部分を切断出来る、従来周知の合成樹脂製の結束バンドであるが、本発明において使用される結束バンドとしては、上記のような結束バンドに限定されるものではなく、例えば必要長さに裁断した針金のように、人為的な縛り操作で結束するようなものも含むものである。
【００１９】
以上のようにして組み立てられた抜け止め用クリップ１４付きのピン７は、抜け止め用クリップ１４の一対の弾性アーム部１５ａ，１５ｂを同一水平仮想面上に位置させたとき、ピン７は、その全長にわたって抜け止め用クリップ１４より下側に少し突出している。又、チエーン１３をピン７に連結している連結用リング１２は、貫通孔２２内で上側に結束バンド２３が重なっているため、ピン７の延長姿勢に保持されている。このような状態の抜け止め用クリップ１４付きのピン７を、腰管１側の長孔６を通じて所定高さにある差込み管２側のピン孔５にピン７を挿通させるとき、抜け止め用クリップ１４がピン７の上側に位置する向きで、抜け止め用クリップ１４の連結部１６（ピン７の基部７ａ）をピン差込み方向に強く押し込むことにより、一対の弾性アーム部１５ａ，１５ｂの先端部間を腰管１の上端雄ネジ部３によって左右両側に弾性に抗して押し開き、一対の弾性アーム部１５ａ，１５ｂ内に上端雄ネジ部３を相対的に嵌入させる。ピン７が上端雄ネジ部３を直径方向に完全に貫通したとき、一対の弾性アーム部１５ａ，１５ｂが、その弾性により元の形状に復帰して上端雄ネジ部３を把持する状態になると共に、ピン７の両端部は、調節用雌ネジ体４のピン支持用上端環状面４ａに直接当接して支持されることになる。
【００２０】
上記のようにピン７が仮設用サポートにセットされたならば、腰管１の上端雄ネジ部３に対して調節用雌ネジ体４を正逆回転操作し、ピン７の支持高さを変えることにより、腰管１に対しピン７を介して支持される差込み管２の支持高さ、延いてはこの仮設用サポートの全長を任意に調節することが出来る。仮設用サポートの解体時には、抜け止め用クリップ１４の連結部１６（ピン７の基部７ａ）をピン引き抜き方向に強く引っ張って、一対の弾性アーム部１５ａ，１５ｂの先端部間を腰管１の上端雄ネジ部３によって左右両側に弾性に抗して内側から押し開き、一対の弾性アーム部１５ａ，１５ｂ内から上端雄ネジ部３を相対的に脱出移動させることにより、ピン７を抜け止め用クリップ１４と共に除去することが出来る。
【００２１】
尚、上記のように、ピン７が上端雄ネジ部３を直径方向に完全に貫通したとき、一対の弾性アーム部１５ａ，１５ｂが、その弾性により元の形状に復帰して上端雄ネジ部３を把持する状態になるのであるが、このとき、一対の弾性アーム部１５ａ，１５ｂが弾性によって上端雄ネジ部３に圧接するように構成しても良いが、単に一対の弾性アーム部１５ａ，１５ｂが上端雄ネジ部３の周面に沿う形状に復帰しているだけでも良い。
【００２２】
又、ピン７に対して抜け止め用クリップ１４が上側に位置する向きで使用することにより、ピン７の両端、特に連結部１６に固定されたピン７の基部７ａを調節用雌ネジ体４のピン支持用上端環状面４ａ上に直接当接させることが出来、従来の抜け止め用クリップ１４を持たないピン７と変わりなく使用することが出来るのであるが、誤って、ピン７に対して抜け止め用クリップ１４が下側に位置する向きで使用した場合、ピン７の基部７ａと調節用雌ネジ体４のピン支持用上端環状面４ａとの間に抜け止め用クリップ１４の連結部１６の半円形天井部１６ａが挟まることになり、先に説明したような種々の不都合が生じる。このような逆向き使用を回避するために、図示のように、抜け止め用クリップ１４の前記連結部１６の上側に、ピン７に対してこの抜け止め用クリップ１４を上下逆向きに使用したときに前記調節用雌ネジ体４のピン支持用上端環状面４ａに当接する突起２４を突設しておくこと出来る。図示の突起２４は、連結部１６の内側辺に一端が隣接する、ピン７と平行な薄板状の突起である。
【００２３】
上記のような突起２４が突設されていることにより、使用者は、目立つ突起２４によって、抜け止め用クリップ１４付きのピン７を使用する際の上下向きを容易に確認することが出来るだけでなく、誤って上下逆向きに使用したときに突起２４が前記調節用雌ネジ体４のピン支持用上端環状面４ａに当接して、抜け止め用クリップ１４付きのピン７の全体が大きく傾斜すると共に不安定になるところから、逆向き使用であることを容易且つ確実に認識出来、誤った向きのままで使用してしまう恐れを無くすことが出来る。
【産業上の利用可能性】
【００２４】
本発明のピン抜け止め用クリップ付き仮設用サポートは、建設現場などにおいてコンクリート型枠などを安全に支持することが出来、しかも取り扱いは従来のものと変わりのない仮設用サポートとして活用出来る。
【符号の説明】
【００２５】
１    腰管
２    差込み管
３    上端雄ネジ部
４    調節用雌ネジ体
４ａ    ピン支持用上端環状面
５    ピン孔
６    長孔
７    ピン
７ａ    基部
１２    連結用リング
１３    チエーン
１４    抜け止め用クリップ
１５ａ，１５ｂ    弾性アーム部
１６    連結部
１９    凹溝部
２０    切欠き部
２１，２２    貫通孔
２３    結束バンド
２４    突起
【図１】
2015094085.tif 000003
【図２】
2015094085.tif 000004
【図３】
2015094085.tif 000005
【図４】
2015094085.tif 000006
【図５】
2015094085.tif 000007
【図６】
2015094085.tif 000008
【図７】
2015094085.tif 000009